(57)【要約】【課題】消費電流を抑制することができる状態検出装置及びそれを用いたバックル装置を提供する。【解決手段】バックルスイッチ２は、第１の端子２９０ａを介して電流Ｉが供給される第１のスイッチ２９０と、第３の端子２９１ａが第１のスイッチ２９０の第２の端子２９０ｂと電気的に接続され、第１のスイッチ２９０が導通することで電流Ｉに基づいた電荷を蓄積するコンデンサ２９１と、第５の端子２９２ａがコンデンサ２９１の第３の端子２９１ａと電気的に接続され、第１のスイッチ２９０と異なるタイミングによる第５の端子２９２ａ及び第６の端子２９２ｂの導通に基づいてコンデンサ２９１に蓄積された電荷を第５の端子２９２ａ及び第６の端子２９２ｂを介して放出させる第２のスイッチ２９２と、第１のスイッチ２９０及び第２のスイッチ２９２の間を移動する共に、第１のスイッチ２９０及び第２のスイッチ２９２を異なるタイミングで導通させるスライダ２５と、を備えている。【選択図】図１
2015177850.tif 000002
【特許請求の範囲】
【請求項１】
第１の端子及び第２の端子を有し、前記第１の端子を介して電流が供給される第１のスイッチと、
第３の端子及び第４の端子を有し、前記第３の端子が前記第１のスイッチの前記第２の端子と電気的に接続され、前記第１のスイッチが導通することで前記電流に基づいた電荷を蓄積する電荷蓄積部と、
第５の端子及び第６の端子を有し、前記第５の端子が前記電荷蓄積部の前記第３の端子と電気的に接続され、前記第１のスイッチと異なるタイミングによる前記第５の端子及び前記第６の端子の導通に基づいて前記電荷蓄積部に蓄積された前記電荷を前記第５の端子及び前記第６の端子を介して放出させる第２のスイッチと、
前記第１のスイッチ及び前記第２のスイッチの間を移動する共に、前記第１のスイッチ及び前記第２のスイッチを前記異なるタイミングで導通させる移動体と、
を備えた状態検出装置。
【請求項２】
前記第１のスイッチ及び前記第２のスイッチのうち、少なくとも一方の一対の端子が設けられた基体を有し、
前記移動体が、前記一対の端子を導通させる接点部材を有し、前記基体との相対移動に基づく前記異なるタイミングで前記第１のスイッチ及び前記第２のスイッチを導通させる、
請求項１に記載の状態検出装置。
【請求項３】
前記第１のスイッチの前記第２の端子が電気的に接続されると共に、前記第２のスイッチの前記第６の端子が電気的に接続された検出部を有し、
前記検出部が、前記第２の端子及び前記第６の端子を介して入力する入力信号に基づいて前記移動体の位置を検出する、
請求項２に記載の状態検出装置。
【請求項４】
前記第１の端子を介して、前記電流を供給する電流供給部と、
前記検出部の検出結果に基づく検出信号を、電磁気的に接続された電子機器に出力する通信部と、
を備えた請求項３に記載の状態検出装置。
【請求項５】
車両のシートベルト装置のウェビングに取り付けられたタングプレートの保持及び排出を行うように構成され、
前記検出部が、前記タングプレートと共に移動する前記移動体の位置の検出に基づいて前記タングプレートの前記保持及び前記排出の状態を検出する、
前記請求項３又は４に記載の状態判定装置を用いたバックル装置。
【発明の詳細な説明】
【技術分野】
【０００１】
本発明は、状態検出装置及びそれを用いたバックル装置に関する。
【背景技術】
【０００２】
従来の技術として、ボディにスライド移動可能に保持され、バックル装置側の可動部によって押されてスライド移動するスライダと、スライダと対向する面にスライド移動方向に沿ってボディに配置された固定接点と、スライダに取り付けられ、スライダのスライド移動に伴い、固定接点配置面上を移動する可動接片と、を備えたバックル装置用スライドスイッチが知られている（例えば、特許文献１参照。）。
【０００３】
またバックル装置用スライドスイッチは、固定接点が、スライダの移動範囲に沿って設けられた第１の固定接点、第１の固定接点と並んで配置されると共に第１の固定接点を分割したような形状を有する第２の固定接点及び第３の固定接点から構成されている。
【０００４】
このバックル装置用スライドスイッチは、シートベルトに取り付けられているタングが排出されている状態であるスライダの初期位置において、供給された電流に基づいて、可動接片を介して第１の固定接点と第２の固定接点とが導通してＯＮ信号を出力するように構成されている。またバックル装置用スライドスイッチは、タングが保持されている状態であるスライダの移動位置において、供給された電流に基づいて、可動接片を介して第１の固定接点と第３の固定接点とが導通してＯＮ信号を出力するように構成されている。
【先行技術文献】
【特許文献】
【０００５】
【特許文献１】特開２０１１−６２４２３号公報
【発明の概要】
【発明が解決しようとする課題】
【０００６】
しかし、従来のバックル装置用スライドスイッチは、スライダの初期位置及び移動位置を検出するために、常に電流を供給していなければならず、消費電流が増加する問題がある。
【０００７】
従って、本発明の目的は、消費電流を抑制することができる状態検出装置及びそれを用いたバックル装置を提供することにある。
【課題を解決するための手段】
【０００８】
本発明の一態様は、第１の端子及び第２の端子を有し、第１の端子を介して電流が供給される第１のスイッチと、第３の端子及び第４の端子を有し、第３の端子が第１のスイッチの第２の端子と電気的に接続され、第１のスイッチが導通することで電流に基づいた電荷を蓄積する電荷蓄積部と、第５の端子及び第６の端子を有し、第５の端子が電荷蓄積部の第３の端子と電気的に接続され、第１のスイッチと異なるタイミングによる第５の端子及び第６の端子の導通に基づいて電荷蓄積部に蓄積された電荷を第５の端子及び第６の端子を介して放出させる第２のスイッチと、第１のスイッチ及び第２のスイッチの間を移動する共に、第１のスイッチ及び第２のスイッチを異なるタイミングで導通させる移動体と、を備えた状態検出装置を提供する。
【発明の効果】
【０００９】
本発明によれば、消費電流を抑制することができる。
【図面の簡単な説明】
【００１０】
【図１】図１は、第１の実施の形態に係るバックルスイッチを用いたバックル装置の分解斜視図である。
【図２】図２は、第１の実施の形態に係るバックルスイッチを用いたバックル装置の要部断面図である。
【図３】図３（ａ）は、第１の実施の形態に係るバックルスイッチの等価回路図であり、図３（ｂ）は、バックル装置から出力された検出信号の流れを説明するためのブロック図である。
【図４】図４は、第１の実施の形態に係るバックルスイッチの上面図である。
【図５】図５（ａ）は、第１の実施の形態に係るバックルスイッチのスライダの正面図であり、図５（ｂ）は、スライダの下面図であり、図５（ｃ）は、図５（ａ）に示すV（ｃ）-V（ｃ）線で切断した断面を矢印方向から見た断面図である。
【図６】図６（ａ）は、第１の実施の形態に係るバックルスイッチの第１のスイッチの開閉のタイミングを示す概略図であり、図６（ｂ）は、第２のスイッチの開閉のタイミングを示す概略図であり、図６（ｃ）は、コンデンサに蓄積される電荷量に関する概略図であり、図６（ｄ）は、第１の信号に関する概略図であり、図６（ｅ）は、第２の信号に関する概略図であり、図６（ｆ）は、制御部による第１の信号及び第２の信号の判定結果を示す概略図であり、図６（ｇ）は、制御部から出力される検出信号を示す概略図である。
【図７】図７（ａ）は、第１の実施の形態に係るバックルスイッチの初期状態におけるコンタクトの位置を示す概略図であり、図７（ｂ）及び図７（ｃ）は、第１のスイッチが閉じているコンタクトの位置を示す概略図であり、図７（ｄ）は、第１のスイッチが開くと共に第２のスイッチが閉じるコンタクトの位置を示す概略図であり、図７（ｅ）は、タングプレートがバックル装置にラッチされた際のコンタクトの位置を示す概略図である。
【図８】図８は、第１の実施の形態に係るバックルスイッチの制御部の動作に関するフローチャートである。
【図９】図９（ａ）及び図９（ｂ）は、第２の実施の形態に係るバックルスイッチの上面図である。
【発明を実施するための形態】
【００１１】
（実施の形態の要約）
実施の形態に係る状態検出装置は、第１の端子及び第２の端子を有し、第１の端子を介して電流が供給される第１のスイッチと、第３の端子及び第４の端子を有し、第３の端子が第１のスイッチの第２の端子と電気的に接続され、第１のスイッチが導通することで電流に基づいた電荷を蓄積する電荷蓄積部と、第５の端子及び第６の端子を有し、第５の端子が電荷蓄積部の第３の端子と電気的に接続され、第１のスイッチと異なるタイミングによる第５の端子及び第６の端子の導通に基づいて電荷蓄積部に蓄積された電荷を第５の端子及び第６の端子を介して放出させる第２のスイッチと、第１のスイッチ及び第２のスイッチの間を移動する共に、第１のスイッチ及び第２のスイッチを異なるタイミングで導通させる移動体と、を備えて概略構成されている。
【００１２】
この状態検出装置は、移動体の移動に基づいて、第１のスイッチが導通することで電荷蓄積部に電荷が蓄積され、第１のスイッチと異なるタイミングで第２のスイッチが導通することで、電荷蓄積部に蓄積された電荷の放出に基づく信号を出力するように構成されている。従って状態検出装置は、動作のために常に電流が電源から供給される場合と比べて、主に第１のスイッチが導通している間に流れた電流が消費されるので、消費電流を抑制することができる。
【００１３】
[第１の実施の形態]
（バックル装置１の全体構成）
図１は、第１の実施の形態に係るバックルスイッチを用いたバックル装置の分解斜視図である。図２は、第１の実施の形態に係るバックルスイッチを用いたバックル装置の要部断面図である。図３（ａ）は、第１の実施の形態に係るバックルスイッチの等価回路図であり、図３（ｂ）は、バックル装置から出力された検出信号の流れを説明するためのブロック図である。なお、以下に記載する実施の形態に係る各図において、図形間の比率は、実際の比率とは異なる場合がある。また後述する図３（ｂ）では、主な信号の流れを矢印で示している。
【００１４】
車両には、乗員をシートに拘束するためのシートベルト装置が搭載されている。このシートベルト装置は、例えば、図１及び図２に示すように、帯形状を有するウェビング９ａと、このウェビング９ａに取り付けられたタングプレート８と、挿入されたタングプレート８を保持するバックル装置１と、を備えて概略構成されている。
【００１５】
このバックル装置１は、タングプレート８の保持（ラッチ）及び排出を行うように構成された本体１０と、本体１０内に配置され、タングプレート８の保持と排出を検出する状態検出装置としてのバックルスイッチ２と、を備えて概略構成されている。
【００１６】
なお状態検出装置は、バックル装置１に適用されるバックルスイッチ２に限定されず、スライダ２５の移動の検出を介して検出対象物の状態を検出するような電子機器に適用可能である。
【００１７】
このバックルスイッチ２は、図３（ａ）に示すように、第１の端子２９０ａ及び第２の端子２９０ｂを有し、第１の端子２９０ａを介して電流Ｉが供給される第１のスイッチ２９０と、第３の端子２９１ａ及び第４の端子２９１ｂを有し、第３の端子２９１ａが第１のスイッチ２９０の第２の端子２９０ｂと電気的に接続され、第１のスイッチ２９０が導通することで電流Ｉに基づいた電荷を蓄積する電荷蓄積部としてのコンデンサ２９１と、第５の端子２９２ａ及び第６の端子２９２ｂを有し、第５の端子２９２ａがコンデンサ２９１の第３の端子２９１ａと電気的に接続され、第１のスイッチ２９０と異なるタイミングによる第５の端子２９２ａ及び第６の端子２９２ｂの導通に基づいてコンデンサ２９１に蓄積された電荷を第５の端子２９２ａ及び第６の端子２９２ｂを介して放出させる第２のスイッチ２９２と、第１のスイッチ２９０及び第２のスイッチ２９２の間を移動する共に、第１のスイッチ２９０及び第２のスイッチ２９２を異なるタイミングで導通させる移動体としてのスライダ２５と、を備えて概略構成されている。
【００１８】
またバックルスイッチ２は、第１のスイッチ２９０及び第２のスイッチ２９２のうち、少なくとも一方の一対の端子が設けられた基体としての基板２０を備えている。さらにバックルスイッチ２は、スライダ２５が、一対の端子を導通させる接点部材としてのコンタクト２７を有し、基板２０との相対移動に基づく異なるタイミングで第１のスイッチ２９０及び第２のスイッチ２９２を導通させるように構成されている。
【００１９】
この一対の端子とは、第１の端子２９０ａと第２の端子２９０ｂ、及び第５の端子２９２ａと第６の端子２９２ｂである。
【００２０】
バックルスイッチ２は、図３（ａ）に示すように、第１のスイッチ２９０の第２の端子２９０ｂが電気的に接続されると共に、第２のスイッチ２９２の第６の端子２９２ｂが電気的に接続された検出部としての制御部２９６を備えている。この制御部２９６は、第２の端子２９０ｂ及び第６の端子２９２ｂを介して入力する入力信号としての第１の信号Ｓ１及び第２の信号Ｓ２に基づいてスライダ２５の位置を検出するように構成されている。
【００２１】
またバックルスイッチ２は、第１の端子２９０ａを介して、電流Ｉを供給する電流供給部としての電池２８と、制御部２９６の検出結果に基づく検出信号Ｓ３を、電磁気的に接続された電子機器に出力する通信部２９７と、を備えている。この制御部２９６は、タングプレート８と共に移動するスライダ２５の位置の検出に基づいてタングプレート８の保持及び排出の状態を検出するように構成されている。
【００２２】
なお、電磁気的に接続とは、導電体による接続、電磁波の一種である光による接続、及び電磁波の一種である電波による接続の少なくとも１つを用いた接続である。本実施の形態では、通信部２９７は、一例として、電波による無線通信を行うように構成されている。
【００２３】
バックル装置１は、図１及び図２に示すように、ベース３と、イジェクタ４と、ラッチ５と、ロック部材６ａと、ストッパ６ｂと、解除ボタン７と、を備えて概略構成されている。バックル装置１は、タングプレート８が本体１０に保持された状態で、解除ボタン７が押し込まれると、スプリング４５の付勢力に基づいてタングプレート８が本体１０から排出されるように構成されている。
【００２４】
（本体１０の構成）
本体１０は、例えば、長手方向の両端が開口した箱形の筒状部材として形成されている。その長手方向の一方端側には、アンカ挿入口１２が設けられている。また長手方向の他方端側には、タング挿入口１４が設けられている。この本体１０の内側には、ベース３が収容されている。
【００２５】
このタング挿入口１４には、解除ボタン７が露出している。タングプレート８は、この解除ボタン７とタング挿入口１４との間に挿入される。
【００２６】
（ベース３の構成）
ベース３は、本体１０の長手方向が長手方向とされた平板状の底板３０を備えている。底板３０の長手方向の一方端側には、板状のアンカプレート９ｂが重ね合わされており、底板３０とアンカプレート９ｂとが連結されている。アンカプレート９ｂは、その他方端側が車両の座席の側方で車両に取り付けられている。つまりバックル装置１は、アンカプレート９ｂを介して車両に取り付けられている。
【００２７】
この底板３０には、厚み方向に貫通する貫通孔３１及びガイド孔３２が設けられている。また底板３０の幅方向の両端部には、側壁３３ａ及び側壁３３ｂが設けられている。この側壁３３ａ及び側壁３３ｂの間には、イジェクタ４が移動可能に配置されている。
【００２８】
側壁３３ａ及び側壁３３ｂの他方端側の上部には、後述するロック部材６ａの端部６０ａ及び端部６０ｂが挿入される切り欠きである切欠３４ａ及び切欠３４ｂが対向するように設けられている。また側壁３３ａ及び側壁３３ｂの一方端と他方端との中央付近には、タングプレート８の挿入方向に伸びる細長い貫通孔であるガイド孔３５ａ及びガイド孔３５ｂが対向するように設けられている。さらに側壁３３ａ及び側壁３３ｂの一方端側の上部には、ラッチ５の長手方向の両端部に形成された凹部５２ａ及び凹部５２ｂが挿入される切り欠きである支持孔３６ａ及び支持孔３６ｂが対向するように設けられている。
【００２９】
（イジェクタ４の構成）
イジェクタ４の一部は、底板３０に形成されたガイド孔３２に挿入されている。従ってイジェクタ４は、このガイド孔３２に沿って底板３０の長手方向、つまり図２に示す挿入方向である矢印Ａ方向、及び矢印Ａ方向の反対であって排出方向である矢印Ｂ方向に所定の範囲だけ移動可能に構成されている。
【００３０】
このイジェクタ４の先端には、図２に示すように、本体１０に挿入されたタングプレート８が接触する凹部４１が形成されている。またイジェクタ４は、本体４０の下部に開口４２を有している。この開口４２には、バックルスイッチ２のスライダ２５の凸部２６が挿入されている。従ってイジェクタ４は、挿入されたタングプレート８と共に移動し、さらにバックルスイッチ２のスライダ２５を移動させる。つまりスライダ２５は、タングプレート８の挿入及び排出により、基板２０に対して矢印Ａ方向及び矢印Ｂ方向にスライドするように構成されている。
【００３１】
またイジェクタ４は、イジェクタ用のスプリング４５が挿入される挿入凹部４３を有している。イジェクタ４は、このスプリング４５を介して、タングプレート８の挿入方向とは逆方向のタング挿入口１４側へ付勢されている。
【００３２】
（ラッチ５の構成）
ラッチ５は、例えば、図１に示すように、細長い板の一方端側を第１の方向に、他方端側を第１の方向とは逆方向である第２の方向に、折り曲げたような形状を有している。従ってラッチ５は、第１の方向に折り曲げて形成された基部５０と、連結部５３と、第２の方向に折り曲げられた挿入片５４と、を備えて構成されている。
【００３３】
基部５０の両端部には、ストッパ５１ａとストッパ５１ｂとが突出するように設けられている。この基部５０のストッパ５１ａと連結部５３との間の凹部５２ａは、ベース３の側壁３３ａの支持孔３６ａに挿入される。またストッパ５１ｂと連結部５３との間の凹部５２ｂは、ベース３の側壁３３ｂの支持孔３６ｂに挿入される。従って基部５０は、支持孔３６ａ及び支持孔３６ｂの内周部に干渉されるまで、基部５０の長手方向を軸方向として所定角度回動可能に、ベース３に支持されている。
【００３４】
連結部５３の挿入片５４側の両端には、接触片５６ａ及び接触片５６ｂが設けられている。この接触片５６ａ及び接触片５６ｂは、後述するロック部材６ａのロック片６１ａ及びロック片６１ｂに対応して設けられている。
【００３５】
挿入片５４の先端部５５は、底板３０の貫通孔３１に対応して形成されている。この先端部５５は、タングプレート８の挿入に基づいて貫通孔３１に入り込むように構成されている。
【００３６】
ここで、イジェクタ４は、図２に示すように、ラッチ５の挿入片５４の先端部５５に対応して規制片４４が設けられている。
【００３７】
この規制片４４は、挿入片５４の先端部５５との対向状態において、この先端部５５に干渉して底板３０に接近する方向の挿入片５４の移動を規制するように構成されている。
【００３８】
また、基部５０のストッパ５１ａ及びストッパ５１ｂは、イジェクタ４のスライド軌跡上に位置するように構成されている。従ってストッパ５１ａ及びストッパ５１ｂの先端側は、スプリング４５の付勢力に抗してイジェクタ４が所定距離スライドすると、イジェクタ４と接触する。
【００３９】
（ロック部材６ａ及びストッパ６ｂの構成）
ロック部材６ａは、ラッチ５の連結部５３を挟んで、ベース３の底板３０とは反対側に配置されている。ロック部材６ａは基部６０を備えている。基部６０は、側壁３３ａ及び側壁３３ｂの対向方向を長手方向とされた略角棒状とされている。
【００４０】
基部６０の端部６０ａ及び端部６０ｂは、側壁３３ａ及び側壁３３ｂに形成された切欠３４ａ及び切欠３４ｂに入り込んでいる。従って基部６０は、自らの長手方向を軸周りに回転可能に側壁３３ａ及び側壁３３ｂに支持されている。
【００４１】
また基部６０の長手方向の両端側には、一対の略扇状のロック片６１ａ及びロック片６１ｂが形成されている。ロック片６１ａ及びロック片６１ｂは、連結部５３の幅方向の両端部から延出された接触片５６ａ及び接触片５６ｂに対応して設けられている。このロック片６１ａは、接触片５６ａに接触し、ロック片６１ｂは、接触片５６ｂに接触している。
【００４２】
基部６０の長手方向の中間部には、接触部６２が形成されている。接触部６２は、ラッチ５の挿入片５４が底板３０から離れた状態において挿入片５４と接触する。
【００４３】
後述する解除ボタン７の押圧部７０とロック部材６ａとの間には、ストッパ６ｂが配置されている。ストッパ６ｂは、後述する解除ボタン７の側壁７２ａ及び側壁７２ｂの対向方向に沿って長手方向とされた板状の基部６５を備えている。
【００４４】
この基部６５の長手方向の両端側には、底板３０へ向けて開口した凹形状の一対の挿入片６７ａ及び挿入片６７ｂが設けられている。ストッパ６ｂは、この挿入片６７ａ及び挿入片６７ｂがロック部材６ａの基部６０と連結されることで、ロック部材６ａに支持されている。
【００４５】
またストッパ６ｂの挿入片６７ａ及び挿入片６７ｂの近傍には、後述する解除ボタン７の突起７４ａ及び突起７４ｂと干渉する干渉部６６ａ及び干渉部６６ｂが設けられている。
【００４６】
さらにストッパ６ｂと解除ボタン７の押圧部７０との間には、スプリング６９が配置されている。このスプリング６９の一方端は、押圧部７０の押圧面とは反対側に接触している。これに対してスプリング６９の他方端は、ストッパ６ｂの基部６５に接触している。従ってスプリング６９は、ストッパ６ｂを押圧部７０から離れさせる方向に付勢している。
【００４７】
（解除ボタン７の構成）
解除ボタン７は、操作がなされる押圧部７０を備えている。押圧部７０は、本体１０のタング挿入口１４に露出している。
【００４８】
押圧部７０の長手方向の両端近傍からは、底板３０の長手方向の一方端側へ向けて側壁７２ａ及び側壁７２ｂが設けられている。この側壁７２ａ及び側壁７２ｂは、上述した側壁３３ａ及び側壁３３ｂの対向方向に沿って互いに対向していると共に、底板３０とは反対側の端部が上壁７１により連結されている。従って解除ボタン７は、全体的には底板３０へ向けて開口した凹形状とされている。
【００４９】
側壁７２ａ及び側壁７２ｂの押圧部７０とは反対側の端部には、アーム７３ａ及びアーム７３ｂが設けられている。このアーム７３ａ及びアーム７３ｂの先端部には、他方のアームへ向けて突起７４ａ及び突起７４ｂが設けられている。
【００５０】
この突起７４ａ及び突起７４ｂは、ベース３のガイド孔３５ａ及びガイド孔３５ｂに入り込んでいる。従って突起７４ａ及び突起７４ｂは、対応するガイド孔３５ａ及びガイド孔３５ｂの内周部によって底板３０の長手方向に沿って所定範囲変位可能とされている。つまり、解除ボタン７は、ガイド孔３５ａ及びガイド孔３５ｂによって、移動方向が底板３０の長手方向に規制されている。
【００５１】
（タングプレート８の構成）
タングプレート８は、金属板材により形成されている。またタングプレート８は、基部８０と、ラッチ５と結合する後述する挿入部８１と、を備えている。基部８０には、タングプレート８が側壁３３ａ及び側壁３３ｂの間に挿入された状態で側壁３３ａ及び側壁３３ｂの対向方向に沿って長手となるスリット孔８３が形成されている。このスリット孔８３には、ウェビング９ａが挿入されると共に折り返されている。
【００５２】
また挿入部８１は、幅寸法が側壁３３ａと側壁３３ｂとの間隔よりも小さくなるように構成されている。挿入部８１は、タングプレート８がバックル装置１に保持されている場合、側壁３３ａと側壁３３ｂとの間に位置している。
【００５３】
挿入部８１には、厚さ方向に貫通した貫通孔８２が形成されている。タングプレート８は、挿入部８１が側壁３３ａと側壁３３ｂとの間で、かつ底板３０の長手方向の一方端側の所定位置に達した状態において、ラッチ５の挿入片５４が貫通可能となっている。タングプレート８は、挿入片５４が挿入部８１の貫通孔８２と底板３０の貫通孔３１を貫通することで、バックル装置１からの抜き出しが規制される、すなわちバックル装置１に保持されるように構成されている。
【００５４】
（バックルスイッチ２の基板２０の構成）
図４は、第１の実施の形態に係るバックルスイッチの上面図である。基板２０は、例えば、ガラスエポキシ基板等のプリント配線基板である。この基板２０は、図４に示すように、細長い板形状を有する基部２１と、基部２１よりも短手方向の幅が広く、電子部品が搭載される搭載部２２と、を備えている。
【００５５】
この基板２０の表面２００には、電極パターン２１０が形成されている。この電極パターン２１０は、例えば、銅等の導電性を有する金属材料により形成されている。
【００５６】
この電極パターン２１０は、図４に示すように、配線２１２と接続された第１の電極２１１と、配線２１４と接続された第２の電極２１３と、第３の電極２１５と、を備えている。この第１の電極２１１、第２の電極２１３及び第３の電極２１５は、搭載部２２に近い側から第３の電極２１５、第２の電極２１３及び第１の電極２１１の順に並んで配置されている。
【００５７】
第１の電極２１１は、矩形状を有し、配線２１２を介して電子回路部２９と電気的に接続されている。第２の電極２１３は、矩形状を有し、配線２１４を介して電子回路部２９と電気的に接続されている。第３の電極２１５は、細長い矩形状を有し、電子回路部２９と電気的に接続されている。
【００５８】
搭載部２２には、電子回路部２９に電流を供給する電池２８と、電子回路部２９と、が配置されている。
【００５９】
この電池２８は、例えば、ニッケルマンガン電池等の一次電池、リチウムイオン電池等の二次電池、その他の化学電池を使用することが可能である。この電池２８は、一例として、３Ｖの電圧Ｖ１を生成する。
【００６０】
電池２８は、図３（ａ）に示すように、その一方端(例えばプラス端子)が第１のスイッチ２９０の第１の端子２９０ａに接続されると共に、他方端(例えばマイナス端子)がグランド（ＧＮＤ）又はコモン端子に接続される。なお、図３（ａ）に示す抵抗２８０は、電池２８の内部抵抗である。
【００６１】
（スライダ２５の構成）
図５（ａ）は、第１の実施の形態に係るバックルスイッチのスライダの正面図であり、図５（ｂ）は、スライダの下面図であり、図５（ｃ）は、図５（ａ）に示すV（ｃ）-V（ｃ）線で切断した断面を矢印方向から見た断面図である。
【００６２】
スライダ２５は、タングプレート８の挿入及び排出に基づいて、基板２０の基部２１に対して、上述の矢印Ａ方向及び矢印Ｂ方向に移動するように構成されている。
【００６３】
スライダ２５は、図５（ａ）〜図５（ｃ）に示すように、四角柱形状を有する本体２５０と、本体２５０の上面２５６に、突出するように設けられた凸部２６と、を備えて構成されている。
【００６４】
この本体２５０は、基板２０側の配置面２５５の両端部から略Ｌ字形状に突出する保持部２５１及び保持部２５２を有している。この保持部２５１の端部、及び保持部２５２の端部は、対向するように曲げられてスリット２５４を形成している。
【００６５】
この保持部２５１と保持部２５２によって囲まれた収容領域２５３には、基板２０の基部２１が挿入されている。また収容領域２５３において、基板２０の表面２００と対向する配置面２５５には、コンタクト２７が取り付けられている。
【００６６】
このコンタクト２７は、例えば、導電性を有する金属材料を用いて形成された板バネである。この金属材料としては、一例として、バネ鋼、バネ用ステンレス、バネ用リン青銅等が用いられる。
【００６７】
またコンタクト２７は、折り曲げ加工され、適度な弾性力を基部２１に与えるように構成されている。つまりコンタクト２７は、スライダ２５の収容領域２５３に挿入された基部２１との接触を保つように、基部２１に弾性力を付加するように構成されている。
【００６８】
コンタクト２７は、図５（ａ）に示すように、スライダ２５の配置面２５５に取り付けられる取付部２７０と、取付部２７０と接触部２７２との間に位置する中間部２７１と、電極パターン２１０と接触する接触部２７２と、を備えている。
【００６９】
コンタクト２７は、接触部２７２が挿入方向に長く接触するように、挿入方向に沿って長い形状を有している。
【００７０】
このコンタクト２７の接触部２７２は、図４に示すように、基部２１の中央を、長手方向に接触を保ちながら移動する。なお図４、及び後述する図７（ａ）〜図７（ｅ）では、基部２１と接触するコンタクト２７を模式的に図示している。
【００７１】
（電子回路部２９の構成）
電子回路部２９は、主に、制御部２９６と、通信部２９７と、を備えて構成されている。また電子回路部２９は、図３（ａ）に示すように、第１のスイッチ２９０の第２の端子２９０ｂとコンデンサ２９１の第３の端子２９１ａとの間に一方の端子が電気的に接続された抵抗２９３と、第２のスイッチ２９２の第６の端子２９２ｂと制御部２９６との間に、一方の端子が電気的に接続された抵抗２９４と、を備えている。
【００７２】
この抵抗２９３及び抵抗２９４の他方の端子は、グランド又はコモン端子と電気的に接続されている。コンデンサ２９１に蓄積される電荷量、及びコンデンサ２９１が蓄積した電荷を放出する時間等は、この抵抗２９３及び抵抗２９４の抵抗値と、コンデンサ２９１の容量と、によって調整される。
【００７３】
制御部２９６は、ＣＰＵ（Central Processing Unit）、ＲＡＭ（Random Access Memory）及びＲＯＭ（Read Only Memory）等から構成されるマイクロコンピュータである。
【００７４】
この制御部２９６は、上述のように、タングプレート８の保持及び排出を検出するように構成されている。また制御部２９６は、第１のスイッチ２９０の第２の端子２９０ｂが電気的に接続される第１のポート２９６ａと、第２のスイッチ２９２の第６の端子２９２ｂが電気的に接続される第２のポート２９６ｂと、を備えている。この第１のポート２９６ａには、第１の信号Ｓ１が入力する。また第２のポート２９６ｂには、第２の信号Ｓ２が入力する。
【００７５】
また制御部２９６は、第１の信号Ｓ１の取得に基づいて動作を開始すると共に、第１の信号Ｓ１を取得してからの時間を計測するように構成されている。また制御部２９６は、入力した信号と比較される第１のしきい値２９６ｃと、第１の信号Ｓ１を取得してからの時間と比較される設定時間である第２のしきい値２９６ｄと、を備えている。
【００７６】
具体的には、第１のしきい値２９６ｃは、第１のポート２９６ａに入力する第１の信号Ｓ１と、第２のポート２９６ｂに入力する第２の信号Ｓ２と、比較され、入力した信号がハイ（Ｈ）かロー（Ｌ）かを判定するためのしきい値である。なお第１のしきい値２９６ｃは、ポートごとに異なるしきい値に設定されても良い。
【００７７】
制御部２９６は、少なくとも第１の信号Ｓ１が入力してから保持又は排出を示す検出信号Ｓ３を出力する間、電流が供給されるように構成されている。
【００７８】
制御部２９６は、比較結果に基づいて検出信号Ｓ３を生成し、通信部２９７を介して車両通信部９０に出力するように構成されている。この車両通信部９０は、取得した検出信号Ｓ３を車両制御部９１に出力するように構成されている。
【００７９】
この車両制御部９１は、ＣＰＵ、ＲＡＭ及びＲＯＭ等から構成されるマイクロコンピュータである。車両制御部９１は、取得した検出信号Ｓ３に基づいて確認ランプ９２を点灯又は消灯させる制御信号Ｓ４を生成して、出力するように構成されている。
【００８０】
確認ランプ９２は、例えば、車両の電源が投入されている状態で、タングプレート８がバックル装置１に保持されていない場合に、警告として点灯するものである。従って確認ランプ９２は、制御信号Ｓ４がタングプレート８の保持を示す検出信号Ｓ３に基づいている場合は消灯し、排出示す検出信号Ｓ３に基づいている場合は点灯するように構成されている。
【００８１】
（第１のスイッチ２９０と第２のスイッチ２９２の構成）
図６（ａ）は、第１の実施の形態に係るバックルスイッチの第１のスイッチの開閉のタイミングを示す概略図であり、図６（ｂ）は、第２のスイッチの開閉のタイミングを示す概略図であり、図６（ｃ）は、コンデンサに蓄積される電荷量に関する概略図であり、図６（ｄ）は、第１の信号に関する概略図であり、図６（ｅ）は、第２の信号に関する概略図であり、図６（ｆ）は、制御部による第１の信号及び第２の信号の判定結果を示す概略図であり、図６（ｇ）は、制御部から出力される検出信号を示す概略図である。
【００８２】
図６（ａ）〜図６（ｇ）は、横軸が時間ｔである。図６（ｃ）は、縦軸が電荷量である。図６（ｄ）及び図６（ｅ）は、縦軸が電圧Ｖである。図６（ａ）に示すＳＷ１は、第１のスイッチ２９０を示している。また図６（ｂ）に示すＳＷ２は、第２のスイッチ２９２を示している。さらに図６（ａ）及び図６（ｂ）に示すＯＮ及びＯＦＦは、ＯＮが、スイッチが閉じていることを示し、ＯＦＦが、スイッチが開いていることを示している。
【００８３】
さらに図６（ａ）〜図６（ｇ）に示す挿入開始は、タングプレート８がバックル装置１のタング挿入口１４に挿入された時間ｔ１を示している。またラッチは、バックル装置１にタングプレート８が保持された時間ｔ５を示している。排出開始は、操作者が解除ボタン７を押した時間ｔ６を示している。さらに排出完了は、タングプレート８がタング挿入口１４から抜け出した時間ｔ１０を示している。なお図６（ａ）〜図６（ｇ）では、コンデンサ２９１は、挿入が開始された時点では、電荷が蓄積されていないものとしている。
【００８４】
第１のスイッチ２９０は、第１の電極２１１と、第２の電極２１３と、コンタクト２７と、により構成されている。この第１のスイッチ２９０は、コンタクト２７を介して第１の電極２１１と第２の電極２１３とが導通するように構成されている。
【００８５】
従って第１の電極２１１は、第１のスイッチ２９０の第１の端子２９０ａに相当する。また第２の電極２１３は、第１のスイッチ２９０の第２の端子２９０ｂ、及び第２の端子２９０ｂと電気的に接続された第２のスイッチ２９２の第５の端子２９２ａに相当する。つまり第１のスイッチ２９０の第２の端子２９０ｂと第２のスイッチ２９２の第５の端子２９２ａとは、第２の電極２１３によって共用されている。
【００８６】
第１のスイッチ２９０は、図６（ａ）に示すように、タングプレート８の挿入及び排出の期間に閉じるスイッチである。コンデンサ２９１は、図６（ｃ）に示すように、この第１のスイッチ２９０が閉じている期間、電池２８の電流に基づく電荷が蓄積される。
【００８７】
第２のスイッチ２９２は、第２の電極２１３と、第３の電極２１５と、コンタクト２７と、により構成されている。この第２のスイッチ２９２は、コンタクト２７を介して第２の電極２１３と第３の電極２１５とが導通するように構成されている。
【００８８】
従って第３の電極２１５は、第２のスイッチ２９２の第６の端子２９２ｂに相当する。また第２のスイッチ２９２の第５の端子２９２ａは、上述のように、第２の電極２１３に相当する。
【００８９】
第２のスイッチ２９２は、図６（ｂ）に示すように、主に、タングプレート８がバックル装置１にラッチされている期間に閉じるスイッチである。コンデンサ２９１は、この第２のスイッチ２９２が閉じている期間、蓄積していた電荷を放出する。
【００９０】
（スライダ２５の移動とスイッチの開閉について）
図７（ａ）は、第１の実施の形態に係るバックルスイッチの初期状態におけるコンタクトの位置を示す概略図であり、図７（ｂ）及び図７（ｃ）は、第１のスイッチが閉じているコンタクトの位置を示す概略図であり、図７（ｄ）は、第１のスイッチが開くと共に第２のスイッチが閉じるコンタクトの位置を示す概略図であり、図７（ｅ）は、タングプレートがバックル装置にラッチされた際のコンタクトの位置を示す概略図である。なおタングプレート８の挿入方向は、図７（ａ）〜図７（ｅ）の紙面において右から左方向（矢印Ａ方向）であり、排出方向は、左から右方向（矢印Ｂ方向）である。
【００９１】
・初期状態
タングプレート８を挿入する前の初期状態では、図７（ａ）に示すように、スライダ２５が初期位置に位置することからコンタクト２７が第１の電極２１１のみと接触している。従って第１のスイッチ２９０及び第２のスイッチ２９２は、開いている。
【００９２】
・挿入開始
次に、タングプレート８がバックル装置１に挿入されると、タングプレート８の挿入部８１がイジェクタ４を、挿入方向である矢印Ａ方向に移動させる。このイジェクタ４の移動に伴って、イジェクタ４と連結されているスライダ２５が移動すると共に、スライダ２５に設けられたコンタクト２７が基板２０に対して移動する。
【００９３】
コンタクト２７の移動により、コンタクト２７の搭載部２２側の端部２７ａが、図７（ｂ）に示すように、第２の電極２１３の第１の電極２１１に近い端部２１３ａと接触し、第１のスイッチ２９０が閉じる。
【００９４】
従ってコンデンサ２９１は、図６（ａ）及び図６（ｃ）に示すように、この第１のスイッチ２９０の導通に基づいて、導通した時間ｔ２から電荷の蓄積を開始すると共に、ハイ（Ｈ）となる第１の信号Ｓ１が制御部２９６に入力する。
【００９５】
さらに図７（ｃ）及び図７（ｄ）に示すように、コンタクト２７がタングプレート８の挿入に基づいて移動すると、コンタクト２７の端部２７ａの反対側の端部２７ｂと、第１の電極２１１の第２の電極２１３側の端部２１１ａとの接触が解除される。この接触が解除された時間ｔ３では、図６（ａ）及び図６（ｃ）に示すように、第１のスイッチ２９０が開き、コンデンサ２９１による電荷の蓄積が終了する。第１の信号Ｓ１の入力は、コンデンサ２９１に蓄積された電荷により継続する。
【００９６】
なお第１のスイッチ２９０が開く時間ｔ３と第２のスイッチ２９２が閉じる時間ｔ４は、同時ではなく、第１のスイッチ２９０が開いた後に第２のスイッチ２９２が閉じるように、コンタクト２７、第１の電極２１１、第２の電極２１３及び第３の電極２１５が構成されている。また第２のスイッチ２９２が開く時間ｔ７と第１のスイッチ２９０が閉じる時間ｔ８は、同時ではなく、第２のスイッチ２９２が開いた後に第１のスイッチ２９０が閉じるように、コンタクト２７、第１の電極２１１、第２の電極２１３及び第３の電極２１５が構成されている。
【００９７】
第２のスイッチ２９２が閉じられた時間ｔ４以降は、図６（ｃ）及び図６（ｅ）に示すように、コンデンサ２９１に蓄積された電荷が、第２の信号Ｓ２として制御部２９６の第２のポート２９６ｂに入力する。
【００９８】
制御部２９６は、第１の信号Ｓ１を取得してから、設定時間内に第２の信号Ｓ２が取得されるかを判定する。制御部２９６は、図６（ｆ）に示すように、第１の信号Ｓ１を取得した時間ｔ２から第２の信号Ｓ２を取得した時間ｔ４までの時間（ｔ４−ｔ２）が、第２のしきい値２９６ｄに基づく設定時間よりも短い場合、タングプレート８がラッチされたことを示す検出信号Ｓ３を生成して出力する。
【００９９】
この検出信号Ｓ３は、図６（ｇ）に示すように、例えば、１波形のパルス波として出力される。
【０１００】
タングプレート８が、時間ｔ５において、バックル装置１にラッチされると、図７（ｅ）に示すように、第２のスイッチ２９２が閉じた状態でコンタクト２７が基板２０に対して静止する。
【０１０１】
第２のスイッチ２９２が閉じている期間、コンデンサ２９１は、図６（ｃ）に示すように、蓄積した電荷の放出を続ける。なおコンデンサ２９１は、後述するように、排出時に電荷を蓄積するので、タングプレート８がラッチされている間に完全に放電する方が好ましい。
【０１０２】
・排出
操作者が、例えば、時間ｔ６において解除ボタン７を操作すると、ラッチ５によるタングプレート８の保持が解除されるので、スプリング４５の弾性力に基づいてイジェクタ４を介してスライダ２５が、図７（ｅ）に示す状態から、矢印Ａ方向とは逆方向（図２に示す矢印Ｂ方向）に移動する。
【０１０３】
このスライダ２５の移動により、時間ｔ７において、コンタクト２７の端部２７ａと第３の電極２１５の接触が解除され、第２のスイッチ２９２が開く。続いて、時間ｔ８において、コンタクト２７の端部２７ｂが第１の電極２１１の端部２１１ａに到達し、第１のスイッチ２９０が閉じる。
【０１０４】
第１のスイッチ２９０が閉じることで、図６（ａ）及び図６（ｃ）に示すように、第１のスイッチ２９０が閉じて、第２のスイッチ２９２が開くので、コンデンサ２９１が電荷を蓄積されると共に、ハイ（Ｈ）となる第１の信号Ｓ１が制御部２９６に入力する。
【０１０５】
さらにスライダ２５が移動すると、時間ｔ９において、コンタクト２７と第２の電極２１３との接触が解除されて第１のスイッチ２９０が開く。つまり時間ｔ９以降は、第１のスイッチ２９０及び第２のスイッチ２９２が開くと共に、コンデンサ２９１に蓄積された電荷が完全に放出された後なので、制御部２９６により、第１の信号Ｓ１及び第２の信号Ｓ２が検出されない。
【０１０６】
従って制御部２９６は、図６（ｆ）に示すように、排出時の第１の信号Ｓ１を取得した時間ｔ８から設定時間内に第２の信号Ｓ２を取得することがないので、設定時間経過した後（例えば時間ｔ１１）、タングプレート８が排出されたことを示す検出信号Ｓ３を生成して出力する。
【０１０７】
以下では、バックル装置１のバックルスイッチ２の制御部２９６の動作について、図８のフローチャートに従って説明する。
【０１０８】
（動作）
図８は、第１の実施の形態に係るバックルスイッチの制御部の動作に関するフローチャートである。以下では、コンデンサ２９１に電荷が蓄積され、放出された後の動作について説明する。
【０１０９】
制御部２９６は、第１の信号Ｓ１を取得してからの時間を測定すると共に、この電荷の放出に基づいて入力した信号と、第１のしきい値２９６ｃと、を比較する。
【０１１０】
制御部２９６は、第２のしきい値２９６ｄに基づく設定時間内に、入力した第２の信号Ｓ２がハイ（Ｈ）となると（Ｓｔｅｐ１：Ｙｅｓ）、タングプレート８がラッチされたと判定する（Ｓｔｅｐ２）。
【０１１１】
制御部２９６は、判定結果に基づいてラッチされたことを示す検出信号Ｓ３を生成して、通信部２９７を介して出力し、動作を終了する（Ｓｔｅｐ３）。
【０１１２】
ここで、制御部２９６は、設定時間内に第２の信号Ｓ２がハイ（Ｈ）にならなかった場合（Ｓｔｅｐ１：Ｎｏ）、タングプレート８が排出されたと判定する（Ｓｔｅｐ４）。
【０１１３】
制御部２９６は、判定結果に基づいて排出されたことを示す検出信号Ｓ３を生成して、通信部２９７を介して出力し、動作を終了する（Ｓｔｅｐ３）。
【０１１４】
（第１の実施の形態の効果）
本実施の形態に係るバックルスイッチ２を用いたバックル装置１は、消費電流を抑制することができる。具体的には、バックルスイッチ２は、第１のスイッチ２９０が導通することでコンデンサ２９１に電荷が蓄積され、第１のスイッチ２９０と異なるタイミングで第２のスイッチ２９２が導通することで、コンデンサ２９１に蓄積された電荷の放出に基づく信号を出力するように構成されている。従ってバックルスイッチ２は、動作のために常に電流が供給される場合と比べて、主に第１のスイッチ２９０が導通している間に流れた電流が消費されるので、消費電流を抑制することができる。
【０１１５】
バックルスイッチ２は、第１のしきい値２９６ｃを備え、第１の信号Ｓ１及び第２の信号Ｓ２のハイ（Ｈ）及びロー（Ｌ）を判定した結果に基づいて保持及び排出を判定するので、ハイ（Ｈ）及びロー（Ｌ）を判定しない場合と比べて、グランド電流やノイズに起因する信号による誤判定を抑制することができ、精度の高い保持及び排出の検出を行うことができる。
【０１１６】
バックルスイッチ２は、電池２８により駆動されるので、ハーネスを介して電流が供給される場合と比べて、消費電流を抑制することができると共に、バックル装置１の配置の自由度が向上する。従ってバックル装置１は、使用される際の移動の制限が緩和される。
【０１１７】
バックルスイッチ２は、常に電流を流してスイッチの開閉を検出する場合と比べて、消費する電流が少ないので、電池２８を交換するサイクルが長くなり利便性が高い。
【０１１８】
バックルスイッチ２は、タングプレート８の挿入及び排出時に、コンデンサ２９１に電荷を蓄積させ、ラッチ及び排出完了時に、ラッチや排出に要した時間以上の時間をかけて、電荷を放出するように構成されている。従ってバックルスイッチ２は、制御部２９６及び通信部２９７が動作可能な時間（オン時間）を、挿入や排出に要する時間よりも長く取ることができる。バックルスイッチ２は、オン時間を長く取ることができるので、スライダ２５の移動範囲を小さくすることが可能となり、バックル装置１を小型化することができる。
【０１１９】
［第２の実施の形態］
第２の実施の形態は、第２のスイッチがプッシュスイッチで構成されている点で第１の実施の形態と異なっている。
【０１２０】
図９（ａ）及び図９（ｂ）は、第２の実施の形態に係るバックルスイッチの上面図である。なお以下に記載する実施の形態において、第１の実施の形態と同じ機能及び構成を有する部分は、第１の実施の形態と同じ符号を付し、その説明は省略するものとする。
【０１２１】
本実施の形態のバックルスイッチ２は、図９（ａ）及び図９（ｂ）に示すように、第１の実施の形態の第３の電極２１５の代わりに、プッシュスイッチである第２のスイッチ２９２ｃを備えている。
【０１２２】
この第２のスイッチ２９２ｃは、例えば、基板２０の搭載部２２に配置されている。第２のスイッチ２９２ｃは、先端部２９２ｄが押し込まれている間のみ閉じる、モーメンタリスイッチである。
【０１２３】
バックルスイッチ２は、図９（ａ）に示す初期状態では、コンタクト２７が第１の電極２１１とのみ接触しているので、第１のスイッチ２９０及び第２のスイッチ２９２ｃは、開いている。
【０１２４】
タングプレート８が、バックル装置１に挿入されると、イジェクタ４を介してスライダ２５が矢印Ａ方向に移動する。この移動に伴って、コンタクト２７の端部２７ａが第２の電極２１３の端部２１３ａに到達し、第１のスイッチ２９０が閉じる。
【０１２５】
この第１のスイッチ２９０が閉じている期間は、コンタクト２７の端部２７ｂが、第１の電極２１１の端部２１１ａを超える、つまりコンタクト２７と第１の電極２１１との接触が保たれている期間である。バックルスイッチ２は、第１のスイッチ２９０が閉じている期間、コンデンサ２９１に電荷が蓄積されると共に、第１の信号Ｓ１が制御部２９６に入力する。
【０１２６】
続いて、スライダ２５が移動すると、スライダ２５の搭載部２２側の前面２５０ａが、第２のスイッチ２９２ｃの先端部２９２ｄと接触し、さらに先端部２９２ｄを押し込んだ状態で、タングプレート８がバックル装置１にラッチされる。図９（ｂ）は、タングプレート８がラッチされた場合のスライダ２５の位置を示している。
【０１２７】
このラッチにより、第２のスイッチ２９２ｃが閉じて、コンデンサ２９１に蓄積された電荷が放出される。従ってコンデンサ２９１に蓄積されていた電荷は、第２の信号Ｓ２として、制御部２９６の第２のポート２９６ｂに入力する。
【０１２８】
タングプレート８の排出に基づいてスライダ２５が移動すると、第２のスイッチ２９２ｃとスライダ２５との接触が解除され、第２のスイッチ２９２ｃが開いた後、すぐに第１のスイッチ２９０が閉じてコンデンサ２９１に電荷が蓄積されると共に、第１の信号Ｓ１が制御部２９６に入力する。
【０１２９】
さらにスライダ２５が移動すると、第１のスイッチ２９０が開き、第１の信号Ｓ１が制御部２９６に入力しなくなる。
【０１３０】
制御部２９６は、第１の実施の形態と同様に、挿入と排出を検出し、通信部２９７を介して検出信号Ｓ３を出力する。
【０１３１】
なお、変形例として、第１のスイッチ２９０がプッシュスイッチで構成されても良い。また他の変形例として、第１のスイッチ２９０及び第２のスイッチ２９２が、プッシュスイッチで構成されても良い。
【０１３２】
さらに、プッシュスイッチは、基板２０ではなく、バックル装置１の本体１０に配置されても良い。
【０１３３】
（第２の実施の形態の効果）
本実施の形態に係るバックルスイッチ２を用いたバックル装置１は、少なくとも第２のスイッチ２９２ｃをプッシュスイッチとすることで、電極とコンタクト２７との接触しながらの移動に基づく、コンタクト２７の摩耗による接点不良を抑制することができる。
【０１３４】
ここで、変形例として、バックルスイッチ２は、第１のスイッチ２９０の第１の端子２９０ａに、コンデンサを電気的に接続しても良い。つまり、当該コンデンサは、電池２８と並列に接続される。従ってバックルスイッチ２は、第１のスイッチ２９０が開いている期間は、当該コンデンサに電荷が蓄積され、第１のスイッチ２９０が閉じている期間は、電池２８に基づく電荷と、当該コンデンサに蓄積された電荷と、が放出されてコンデンサ２９１に蓄積されるので、電池２８のみの場合と比べて、より多くの電荷をコンデンサ２９１に蓄積させることができる。
【０１３５】
以上述べた少なくとも１つの実施の形態のバックルスイッチ２を用いたバックル装置１によれば、消費電流を抑制することが可能となる。
【０１３６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１３７】
１…バックル装置、２…バックルスイッチ、３…ベース、４…イジェクタ、５…ラッチ、６ａ…ロック部材、６ｂ…ストッパ、７…解除ボタン、８…タングプレート、９ａ…ウェビング、９ｂ…アンカプレート、１０…本体、１２…アンカ挿入口、１４…タング挿入口、２０…基板、２１…基部、２２…搭載部、２５…スライダ、２６…凸部、２７…コンタクト、２７ａ…端部、２７ｂ…端部、２８…電池、２９…電子回路部、３０…底板、３１…貫通孔、３２…ガイド孔、３３ａ…側壁、３３ｂ…側壁、３４ａ…切欠、３４ｂ…切欠、３５ａ…ガイド孔、３５ｂ…ガイド孔、３６ａ…支持孔、３６ｂ…支持孔、４０…本体、４１…凹部、４２…開口、４３…挿入凹部、４４…規制片、４５…スプリング、５０…基部、５１ａ…ストッパ、５１ｂ…ストッパ、５２ａ…凹部、５２ｂ…凹部、５３…連結部、５４…挿入片、５５…先端部、５６ａ…接触片、５６ｂ…接触片、６０…基部、６０ａ…端部、６０ｂ…端部、６１ａ…ロック片、６１ｂ…ロック片、６２…接触部、６５…基部、６６ａ…干渉部、６６ｂ…干渉部、６７ａ…挿入片、６７ｂ…挿入片、６９…スプリング、７０…押圧部、７１…上壁、７２ａ…側壁、７２ｂ…側壁、７３ａ…アーム、７３ｂ…アーム、７４ａ…突起、７４ｂ…突起、８０…基部、８１…挿入部、８２…貫通孔、８３…スリット孔、９０…車両通信部、９１…車両制御部、９２…確認ランプ、２００…表面、２１０…電極パターン、２１１…第１の電極、２１１ａ…端部、２１２…配線、２１３…第２の電極、２１３ａ…端部、２１４…配線、２１５…第３の電極、２５０…本体、２５０ａ…前面、２５１…保持部、２５２…保持部、２５３…収容領域、２５４…スリット、２５５…配置面、２５６…上面、２７０…取付部、２７１…中間部、２７２…接触部、２８０…抵抗、２９０…第１のスイッチ、２９０ａ…第１の端子、２９０ｂ…第２の端子、２９１…コンデンサ、２９１ａ…第３の端子、２９１ｂ…第４の端子、２９２…第２のスイッチ、２９２ａ…第５の端子、２９２ｂ…第６の端子、２９２ｃ…第２のスイッチ、２９２ｄ…先端部、２９３…抵抗、２９４…抵抗、２９６…制御部、２９６ａ…第１のポート、２９６ｂ…第２のポート、２９６ｃ…第１のしきい値、２９６ｄ…第２のしきい値、２９７…通信部
【図１】
2015177850.tif 000003
【図２】
2015177850.tif 000004
【図３】
2015177850.tif 000005
【図４】
2015177850.tif 000006
【図５】
2015177850.tif 000007
【図６】
2015177850.tif 000008
【図７】
2015177850.tif 000009
【図８】
2015177850.tif 000010
【図９】
2015177850.tif 000011